(57)【要約】【課題】テレビ用信号と電話用信号の混信を防ぎ、適切なテレビ視聴と通話が行えるようにすることを目的としたものである。【解決手段】そしてこの目的を達成するために本発明は、可動により重合状態と非重合状態を形成できる第１、第２のケース１１，１３と、第１のケース１１内に設けられた携帯電話用送受信部１５と、第２のケース１３に設けられたテレビ選局部１８及びこのテレビ選局部１８からの信号を受けて映像表示をする映像表示部１７とを備えた構造にしたものである。【選択図】図２
2005295367.tif 000002
【特許請求の範囲】
【請求項１】
可動により重合状態と非重合状態を形成できる第１、第２のケースと、前記第１のケース内に設けられた携帯電話用送受信部と、前記第２のケースに設けられたテレビ選局部及びこのテレビ選局部からの信号を受けて映像表示をする映像表示部とを備えた携帯機器。
【請求項２】
第１、第２のケースは、一端側のヒンジ部を介して開閉自在とし、前記第１のケースの前記第２のケース対向面には操作部を設け、前記第２のケースの前記第１のケースの対向面には映像表示部を設けた請求項１に記載の携帯機器。
【請求項３】
第１のケースには、伸縮自在なテレビ用アンテナを設けた請求項２に記載の携帯機器。
【請求項４】
第１、第２のケースの少なくとも一方のヒンジ部近傍にはシールド面を設けた請求項３に記載の携帯機器。
【請求項５】
第１、第２のケースは、この第１、第２のケースの側面部を介してスライド自在とし、前記第１のケースの前記第２のケース対向面には操作部を設け、前記第２のケースの前記第１のケースの対向面には映像表示部を設けた請求項１に記載の携帯機器。
【請求項６】
第１のケースには、伸縮自在なテレビ用アンテナを設けた請求項５に記載の携帯機器。
【請求項７】
第１、第２のケースをスライドして非重合状態にしたとき、少なくとも対向する一方の面の近傍にはシールド面を設けた請求項６に記載の携帯機器。
【請求項８】
第１、第２のケースは、一端側のヒンジ部を介して平面方向に展開自在とし、前記第１のケースの前記第２のケース対向面には操作部を設け、前記第２のケースの前記第１のケースの対向面には映像表示部を設けた請求項１に記載の携帯機器。
【請求項９】
第１のケースには、伸縮自在なテレビ用アンテナを設けた請求項８に記載の携帯機器。
【請求項１０】
第１、第２のケースの少なくとも一方のヒンジ部近傍にはシールド面を設けた請求項９に記載の携帯機器。
【発明の詳細な説明】
【技術分野】
【０００１】
本発明は、例えば携帯電話等の携帯機器に関するものである。
【背景技術】
【０００２】
近年の携帯電話は、電話機能だけでなくテレビも見ることができるようになってきた。図４、図５はその一例を示しており、ヒンジ部１を介して、第１のケース２と、第２のケース３を開閉自在としている。第１のケース２内には、携帯電話用送受信部４、テレビ選局部５が設けられ、また、第２のケース３には、映像表示部６が設けられている。
【０００３】
即ち、電話をする際には、電波は電話用アンテナ７で受信し、携帯電話用送受信部４を介して、スピーカ８から相手方音声を聞き取り、また、自分の声はマイクロフォン９、携帯電話用送受信部４を介して電話用アンテナ７から電波として相手方に伝えるようになっている。
【０００４】
一方、テレビ信号は、テレビ用アンテナ１０、テレビ選局部５を介し、映像は映像表示部６、音声はスピーカ８から夫々視聴するようになっている。
【０００５】
なお、この出願の発明に関連する先行技術文献としては、例えば、特許文献１が知られている。
【特許文献１】特開２００４−４８４４７号公報
【発明の開示】
【発明が解決しようとする課題】
【０００６】
しかしながらこのような従来の携帯機器は、テレビ用信号と携帯電話用信号が混信し、テレビが見づらいとか通話が聞こえ難いとかという問題が発生する恐れがあった。
【０００７】
即ち、従来の携帯機器は、図４、図５に示すように、第１のケース２内において、携帯電話用送受信部４と、テレビ選局部５が接近しており、このことが上記混信を生じさせる原因を発生させるものとなるものであった。
【０００８】
この点を今少し説明すると、例えば、映像表示部６でテレビ画像を楽しんでいる間にも携帯電話用送受信部４は、定期的に自分の位置を固定局に送信しており、また、逆にテレビ画像を表示したままの状態で通話を行なうこともある。
【０００９】
つまり、テレビと電話のいずれか一方を楽しんでいるときでも、他方も動作状態になっているので、上述のような混信は発生してしまうのであった。特に、混信による映像や音声の乱れは電波状態の良くない場所においては顕著に表れる可能性があった。
【００１０】
そこで本発明は、テレビ用信号と電話用信号の混信を防ぎ、適切なテレビ視聴と通話が行なえるようにすることを目的としたものである。
【課題を解決するための手段】
【００１１】
そしてこの目的を達成するために本発明は、可動により重合状態と非重合状態を形成できる第１、第２のケースと、前記第１のケース内に設けられた携帯電話用送受信部と、前記第２のケースに設けられたテレビ選局部及びこのテレビ選局部からの信号を受けて映像表示をする映像表示部とを備えた構造にすることにより、初期の目的を達成するものである。
【発明の効果】
【００１２】
以上のように本発明は、可動により重合状態と非重合状態を形成できる第１、第２のケースと、前記第１のケース内に設けられた携帯電話用送受信部と、前記第２のケースに設けられたテレビ選局部及びこのテレビ選局部からの信号を受けて映像表示をする映像表示部とを備えた構造としたものである。
【００１３】
即ち、以上の構成とすれば、第１、第２のケースを非重合状態として、電話或いはテレビ視聴を行なうようにすれば、前記第１のケース内の携帯電話用送受信部と前記第２のケースのテレビ選局部の物理的距離が遠くなるので、この両者間における混信は少なくなり、適切な通話、テレビ視聴が行なえるようになる。
【発明を実施するための最良の形態】
【００１４】
（実施の形態１）
以下、本発明の実施の形態を図１から図３を用いて説明する。図１、図２において、１１は第１のケースで、その上端側にはヒンジ部１２を介して第２のケース１３が開閉自在に設けられている。図１は、第１、第２のケース１１，１３を開放した状態を示しており、図示していないが、第２のケース１３はその下端側のヒンジ部１２を介して第１のケース１１上へ閉成され、この状態においては、第１、第２のケース１１，１３が重合状態となり、コンパクトで携帯性に優れたものとなる。
【００１５】
第１のケース１１内には、図２、図３で示す電話用アンテナ１４、携帯電話用送受信部１５、ベースバンド処理部１６及びマイクロフォン２８が設けられている。
【００１６】
一方、第２のケース１３の第１のケース１１への重合面には、映像表示部１７が表出して設けられている。また、この映像表示部１７の背面側となる第１のケース１３内には、テレビ選局部１８、スピーカ１９、テレビ用アンテナ２０が設けられている。テレビ用アンテナ２０は、図示していないが、図１、図２の状態から第２のケース１３外に引き伸ばすことができ、もちろん使用後はこのアンテナ２０を図２に示すごとく、縮めてその大部分を第２のケース１３に収めることができるようになっている。
【００１７】
また、第１のケース１１の第２のケース１３側の面には図１に示すごとく各種キーボード２１が設けられ、このキーボード２１の背面側に上記携帯電話用送受信部１５及びベースバンド処理部１６が設けられている。更に、ヒンジ部１２の第１、第２のケース１１，１３側には夫々シールド面２２が設けられている。
【００１８】
なお、携帯電話用送受信部１５内には、従来から良く知られているように、携帯電話用復調回路２３や変調回路２４が設けられている。また、ベースバンド信号処理部１６には、複合回路２５、符号回路２６が設けられている。更に、テレビ選局部１８には、第２のケース１３内において、テレビ用復調器２７が接続されている。
【００１９】
図１は、電話をするため、或いはテレビを見るために第２のケース１３を第１のケース１１上に開放した状態を示している。例えば、テレビを見るときを例にして説明すると、先ず、テレビ用アンテナ２０を第２のケース１３上に引き伸ばし、次に、キーボード２１を操作して、テレビ関係部分を駆動する。
【００２０】
希望するチャネルは、キーボード２１によって入力されテレビ選局部１８で選局され、テレビ用復調器２７、ベースバンド処理部１６を介し、映像は、映像表示部１７で表示され、音声は、スピーカ１９から放出されることになる。
【００２１】
以上のようにして、使用者はテレビ番組を楽しむことができるが、このとき、携帯電話用送受信部１５は、上述したテレビを見る見ないに係わらず動作状態にある。即ち、携帯電話用送受信部１５からは、自位置を固定局に定期的に電話用アンテナ１４から電波を発信している。もちろん、通話中には、適宜、送信・受信が電話用アンテナ１４から行われている。
【００２２】
つまり、テレビを見ているとき、或いは電話をしているときであってもテレビ機能と電話機能が起動状態にあるのであるが本実施の形態においては、いかなる場合においてもテレビ用信号と電話用信号が混信することが極めて少なく、適切なテレビ視聴・通話が楽しめるものである。
【００２３】
その理由の一つとしては、携帯電話用送受信部１５を第１のケース１１内に、また、テレビ選局部１８を第２のケース１３に分離して配置したからである。つまりこのように分離して配置すれば、携帯電話用送受信部１５と、テレビ選局部１８の物理的距離が遠くなり、この結果として、両者間における混信が極めて少なくなる。
【００２４】
また、このように、携帯電話用送受信部１５とテレビ選局部１８を第１、第２のケース１１，１３に分離しただけではなく、ヒンジ部１２の両側にシールド面２２を設けたことで、更にこれらの両者間の混信が少なくなるものである。
【００２５】
また、このようにシールド面２２をテレビ用アンテナ２０と垂直に設けた結果、ミラー効果により受信感度を高めることができる。また、このシールド面２２はアースの強化にも寄与することができる。
【００２６】
更に、図１、図２に示したごとく、テレビ選局部１８、テレビ用復調器２７の表面側は映像表示部１７で覆い、携帯電話用送受信部１５は、キーボード２１で覆うことにより、これら両者の混信は更に起きにくくなっているものである。
【００２７】
なお、上記実施の形態においては、第１、第２のケース１１，１３をヒンジ部１２を介して開閉自在とすることによって、第１、第２のケース１１，１３の重合状態から非重合状態への形態変化をさせたが、第１、第２のケース１１，１３の何れか一方を、第１、第２のケース１１，１３の側面部に設けられたレールを介してスライドさせることによって、重合状態、非重合状態を形成するようにしても良い。更に、第１、第２のケース１１，１３の何れか一方を水平方向に開閉することによって、重合状態、非重合状態を形成しても良い。
【産業上の利用可能性】
【００２８】
本発明にかかる携帯機器は、テレビ信号と電話信号の混信が極めて少なく、適切なテレビ視聴・通話が行われるようになり、テレビ視聴機能付き携帯機器として有用である。
【図面の簡単な説明】
【００２９】
【図１】本発明の一実施の形態における携帯機器の斜視図
【図２】同、透視斜視図
【図３】同、ブロック回路図
【図４】従来例の透視斜視図
【図５】同、ブロック回路図
【符号の説明】
【００３０】
１１  第１のケース
１３  第２のケース
１５  携帯電話用送受信部
１７  映像表示部
１８  テレビ選局部
【図１】
2005295367.tif 000003
【図２】
2005295367.tif 000004
【図３】
2005295367.tif 000005
【図４】
2005295367.tif 000006
【図５】
2005295367.tif 000007